(57)【特許請求の範囲】
【請求項１】
ガス置換区間に配置される容器の開口部周辺を密閉し、前記容器内に供給される第１置換ガスの流れを案内する第１ガス置換部と、
前記第１ガス置換部の上側に結合されて前記容器内に直接供給される第２置換ガスの流れを案内する第２ガス置換部と、
を含み、
前記第１ガス置換部は、前記容器の開口部の周辺を囲む密閉形のトンネル形状に形成され、密閉形のトンネル形状内において第１置換ガスは容器内に供給され、
前記第２ガス置換部は、密閉形に形成された内部空間を有するトンネル形状に形成され、密閉形に形成された内部空間を有するトンネル形状内において第２置換ガスは容器内に供給される、
ガス置換装置。
【請求項２】
前記第１ガス置換部は、前記ガス置換区間で前記容器の移送方向に沿って延長されている複数のガストンネル部を含み、
前記複数のガストンネル部は、
前記ガス置換区間で直線区間に設置される第１ガストンネル部と、
前記第１ガストンネル部の一端に連結されている第２ガストンネル部と、を含む、請求項１に記載のガス置換装置。
【請求項３】
前記第１ガストンネル部は、
下側面が開口された直線形の第１トンネル本体と、
前記第１トンネル本体の一側に結合される第１トンネル連結部と、
前記第１トンネル本体に結合されて前記容器の開口部を密閉する第１補助トンネル本体と
を含む、請求項２に記載のガス置換装置。
【請求項４】
前記第２ガストンネル部は、
下側面と側面一部が開口され、曲線形状を有する第２トンネル本体と、
前記第２トンネル本体の上側に結合される第２トンネル連結部と、
前記第２ンネル本体に結合されて前記容器の開口部を密閉する第２補助トンネル本体と
を含む、請求項３に記載のガス置換装置。
【請求項５】
前記第２ガストンネル部は、前記第２トンネル本体が前記ガス置換区間の曲線区間に設置される、請求項４に記載のガス置換装置。
【請求項６】
前記第１ガストンネル部と前記第２ガストンネル部は一体形である、請求項２に記載のガス置換装置。
【請求項７】
前記ガス置換区間は、前記容器に内容物を充填する区間から前記容器の開口部を覆う区間までである、請求項１に記載のガス置換装置。
【請求項８】
前記第２ガス置換部は、
内部空間が密閉形に形成され、前記第１トンネル本体に結合される本体部と、
前記本体部の一側に結合される補助連結部と、
前記本体部の下側に入口が結合され、出口が前記容器の開口部に隣接する長さを有し、前記第１トンネル本体内に配置されるノズル部と、
を含む、請求項３に記載のガス置換装置。
【請求項９】
前記ノズル部のノズル内径は、３．５ｍｍ〜２５ｍｍである、請求項８に記載のガス置換装置。
【発明の詳細な説明】
【技術分野】
【０００１】
本発明は、ガス置換装置に関する。
【背景技術】
【０００２】
容器（ｖｉａｌ）内に薬品などの内容物を充填した後、容器の開口部に蓋を結合して封止する。しかし、容器の内側上部空間であるヘッドスペース（ｈｅａｄｓｐａｃｅ）に酸素が残存した状態で蓋を結合することがある。そうすると、容器に充填された内容物が酸化して品質が低下する恐れがある。特に、容器に充填して使用する溶液注射剤の場合、ヘッドスペース内の少量の酸素だけでも主成分が酸化されて分解産物が発生することがある。
【０００３】
これを解消するために、容器内に内容物を充填した後に蓋を結合する前に、ヘッドスペース内の酸素を不活性ガスに置換した。
【０００４】
一般に容器内の酸素は、ニードル形態のノズルを利用して不活性ガスに置換している。しかし、このような置換方式は置換率が期待に応えていない。したがって、容器のヘッドスペースに残存する酸素をより確実に置換することができるガス置換装置の開発が要求されている。
【発明の概要】
【発明が解決しようとする課題】
【０００５】
本発明の実施形態の目的は、容器内の酸素をより確実に置換することにある。
【０００６】
本発明の実施形態の目的は、容器のガス置換区間を密閉して置換ガスの置換率を向上させることにある。
【０００７】
前記課題以外にも具体的に言及されていない他の課題を達成することに本発明による実施形態が用いられ得る。
【課題を解決するための手段】
【０００８】
本発明の実施形態に係るガス置換装置は、ガス置換区間に配置される容器の開口部周辺を密閉し、前記容器内に供給される第１置換ガスの流れを案内する第１ガス置換部と、第１ガス置換部の上側に結合されて容器内に直接供給される第２置換ガスの流れを案内する第２ガス置換部と、を含む。
【０００９】
この時、第１ガス置換部は、ガス置換区間で容器の移送方向に沿って延長されている複数のガストンネル部を含み、複数のガストンネル部は、ガス置換区間で直線区間に設置される第１ガストンネル部と、第１ガストンネル部の一端に連結されている第２ガストンネル部と、を含むことができる。第１ガストンネル部は、下側面が開口された直線形の第１トンネル本体と、第１トンネル本体の一側に結合される第１トンネル連結部と、を含むことができる。第２ガストンネル部は、下側面と側面一部が開口され、曲線形状を有する第２トンネル本体と、第２トンネル本体の上側に結合される第２トンネル連結部と、を含むことができる。第２ガストンネル部は、第２トンネル本体がガス置換区間の曲線区間に設置されてもよい。第１ガストンネル部と第２ガストンネル部は一体に形成されてもよい。ガス置換区間は、容器に内容物を充填する区間から容器の開口部を覆う区間までに設定されてもよい。
【００１０】
一方、第２ガス置換部は、内部空間が密閉形に形成され、第１トンネル本体に結合される本体部と、本体部の一側に結合される補助連結部と、本体部の下側に入口が結合され、出口が容器の開口部に隣接する長さを有し、第１トンネル本体内に配置されるノズル部と、を含むことができる。この時、ノズル部のノズル内径は、３．５ｍｍ〜２５ｍｍに設定されてもよい。
【発明の効果】
【００１１】
本発明の実施形態によれば、容器のガス置換区間で置換されるガスの消費量を減少させることができ、置換ガスの置換率を向上させて注射剤製品の酸化を減少させることができる。
【図面の簡単な説明】
【００１２】
【図１】本発明の実施形態に係る第１ガス置換部が容器のガス置換区間に配置された状態を示した図面である。
【図２】図１のＡ−Ａ線部分断面図である。
【図３】図１のＢ−Ｂ線部分断面図である。
【発明を実施するための形態】
【００１３】
ここで使用される専門用語は、単に特定の実施形態を言及するためのものであり、本発明を限定することを意図しない。ここで使用される単数の形態は、文句がこれと明確に反対の意味を示さない限り、複数の形態も含む。明細書で使用される「含む」という意味は、特定の特性、領域、整数、段階、動作、要素および／または成分を具体化し、他の特定の特性、領域、整数、段階、動作、要素、成分および／または群の存在や付加を除外させるものではない。
【００１４】
異なって定義してはいないが、ここで使用される技術用語および科学用語を含むすべての用語は、本発明が属する技術分野における通常の知識を有する者が一般に理解する意味と同一の意味を有する。通常使用される辞書に定義された用語は、関連技術文献と現在開示された内容に符合する意味を有するものと追加解釈され、定義されない限り、理想的または非常に公式的な意味として解釈されない。
【００１５】
以下、添付した図面を参照して本発明の実施形態について本発明が属する技術分野における通常の知識を有する者が容易に実施することができるように詳細に説明する。しかし、本発明は、多様な異なる形態に実現することができ、ここで説明する実施形態に限定されない。本発明の実施形態に係るガス置換装置は、容器のガス置換区間に配置される容器の開口部周辺を密閉する。そして容器内のガス充填空間に置換ガスを容易に充填することができる。
【００１６】
図１は、本発明の実施形態に係る第１ガス置換部が容器のガス置換区間に配置された状態を示した図面であり、図２は、図１のＡ−Ａ線部分断面図である。図１と図２を参照すると、本発明の実施形態に係るガス置換装置は、第１ガス置換部１００、第２ガス置換部２００を含む。
【００１７】
第１ガス置換部１００は、容器１０（ｖｉａｌ）のガス置換区間に配置される。容器１０は、開口部を通じて内容物１２が入れられた上側にガス充填空間１４を有する。ここで、容器１０に入れられる内容物１２は液状注射剤を含むことができる。液状注射剤は、保管期間中に容器１０内部の上部空間であるガス充填空間１４で未置換製剤の柔軟物質が発生することがある。未置換製剤の柔軟物質は、容器１０内部の酸素量に応じて比例的に増加する。したがって、液状注射剤が充填された容器１０のガス充填空間１４内酸素量は少なくとも１％以下に管理する必要がある。そしてガス充填空間１４は、容器１０に入れられた内容物１２の上側に形成された空間で、ガスが充填される空間をいう。ガス充填空間１４は、ヘッドスペース（ｈｅａｄｓｐａｃｅ）と称すことができる。
【００１８】
第１ガス置換部１００は、少なくとも容器１０の上部周辺を囲むガス置換空間１１６、１２６を形成する。第１ガス置換部１００は、ガス置換空間１１６、１２６に供給される置換ガスの流れを案内する。ここで、置換ガスは不活性ガスを含むことができる。置換ガスは窒素を含むことができる。第１ガス置換部１００は、ガス置換区間で容器１０の移送方向に沿って連続して配置される複数のガストンネル部を含むことができる。ガス置換区間は、容器１０の蓋を打栓するポイント（ｐｏｉｎｔ）の前後区間に配置することができる。ガス置換区間は、容器１０内部に内容物１２が充填される区間を考慮して直線置換区間と曲線置換区間を含むことができる。ここで、直線置換区間は、容器１０内部に内容物１２が充填された以後、蓋の打栓まで容器１０が移動する区間を含む。そして曲線置換区間は、容器１０に蓋が打栓される区間を含む。本発明の実施形態に係るガス置換装置は、蓋を供給する蓋供給部と、容器１０に蓋を結合して封止する蓋封止部とをさらに含むことができる。
【００１９】
複数のガストンネル部は、ガス置換区間で直線区間に設置される第１ガストンネル部１１０と、第１ガストンネル部１１０の一端に連結されている第２ガストンネル部１２０とを含むことができる。第１ガストンネル部１１０と第２ガストンネル部１２０は一体に形成されてもよい。第１ガストンネル部１１０と第２ガストンネル部１２０は互いに異なる形状を有することができる。
【００２０】
連結部１１４、１２４、２０４は、ガス充填空間１４とガス置換空間１１６、１２６にそれぞれ供給される置換ガスを貯蔵するガス貯蔵部（図示せず）に一端が連結され、他端が第１ガス置換部１００に連結される。連結部１１４、１２４、２０４は、ホースと連結管を含むことができる。一方、連結管は第１ガストンネル部１１０と第２ガストンネル部１２０にそれぞれ結合される単数の導管で形成することができる。ただし、連結管は複数の導管で形成することもできる。したがって、連結管は単数の導管で実施することに限定せず、少なくとも１つ以上の導管で形成することができる。
【００２１】
一方、図１に示された参照番号２０は第１ホイールであり、参照番号３０は第２ホイールである。第１ホイール２０と第２ホイール３０の回転により内容物１２が充填されて蓋が結合された容器１０は、移送ラインに沿って次の工程に移動する。第１ホイール２０と第２ホイール３０を含む移送ラインおよび連結部などは通常のガス置換装置で使用される構成を適用することができる。
【００２２】
図２を参照すると、第１ガストンネル部１１０は、下側面が開口された直線形の第１トンネル本体１１２と、第１トンネル本体１１２の一側に結合されて置換ガスの流れを容器１０の周辺に案内する第１トンネル連結部１１４とを含むことができる。第１ガストンネル部１１０は、第１トンネル本体１１２の形状で開口された部分を最小化する構造で容器１０を囲んでいる。第１ガストンネル部１１０は、外部との隙間面積を減少させてほとんど密閉された空間を維持することができる。したがって、第１ガストンネル部１１０の内部をほとんど密封された状態に維持して内部に供給された置換ガスが外部に漏れる量を減少させることができる。また、第１ガストンネル部１１０の内部で置換ガスの消費量を減少させることができる。必要に応じて第１トンネル本体１１２には第１補助トンネル本体１１８をさらに結合することができる。
【００２３】
本発明の実施形態に係るガス置換装置は、ガス置換区間に配置されて容器１０のガス充填空間１４内に直接供給される置換ガスの流れを案内する第２ガス置換部２００をさらに含むことができる。第２ガス置換部２００は、本体部２０２、補助連結部２０４、ノズル部２０６を含む。
【００２４】
本体部２０２は、内部空間が密閉形に形成され、第１トンネル本体１１２に結合される。補助連結部２０４は、本体部２０２の一側に結合されて置換ガスの流れを本体部２０２内部に案内する。ノズル部２０６は、本体部２０２の下側に入口が結合される。そしてノズル部２０６の出口は容器１０の開口部に隣接する長さを有し、第１トンネル本体１１２内に配置される。ノズル部２０６は、本体部２０２内部に供給された置換ガスを容器１０の開口部を通じてガス充填空間１４に供給する。ノズル部２０６のノズル内径は、３．５ｍｍ〜２５ｍｍに設定されてもよい。ここで、ノズル部２０６のノズル内径は、１２ｍｍに形成することができる。ノズル部２０６のノズル内径が３．５ｍｍ未満である場合、容器１０の開口部内部に直接供給される置換ガスの量が急激に増加し得る。したがって、容器１０内部の酸素と干渉現象が発生されて容器１０外部に排出されない場合が発生する恐れがある。そうすると、ガス置換効率が減少して容器１０内酸素量を減少させにくいこともある。ノズル部２０６のノズル内径が２５ｍｍを超える場合、容器１０の上部に形成される加圧雰囲気が弱化する恐れがある。一方、ノズル部２０６のノズル内径に対する限定は本発明の実施形態に限定されない。ノズル部２０６のノズル内径は容器１０の開口部の大きさに応じて多様な形態に設計変更して実現されてもよい。このような場合、ノズル部２０６のノズル内径は容器１０の開口部の大きさより大きく形成されてもよい。
【００２５】
直線置換区間に配置される第１ガストンネル部１１０と第２ガス置換部２００は、置換ガスがノズル部２０６から容器１０内部に向かって直接噴射するように製作されてもよい。つまり、直線置換区間では第１ガストンネル部１１０の内部を置換ガストンネル化環境に形成することができる。そして直線置換区間では容器１０の内部に向かって置換ガスが直接供給され得る。したがって、容器１０が移送ラインに沿って移動する間に置換ガスが満たされた置換ガストンネル化環境を作ることができる。また、ガストンネル環境が形成された状態で容器１０内部のガス充填空間１４に直接置換ガスが供給され得る。したがって、容器１０内部のガス充填空間１４に残留する酸素を容器１０外部に押し出す効率をより増大させることができる。
【００２６】
図３は、図１のＢ−Ｂ線部分断面図である。図３を参照すると、第２ガストンネル部１２０は、下側面と側面一部が開口され、曲線形状を有する第２トンネル本体１２２と、第２トンネル本体１２２の上側に結合されて置換ガスの流れを容器１０の周辺に案内する第２トンネル連結部１２４とを含むことができる。第２ガストンネル部１２０は、第２トンネル本体１２２の形状で開口された部分を最小化する構造で容器１０を囲んでいる。第２ガストンネル部１２０は、外部との隙間面積を減少させてほとんど密閉された空間を維持することができる。したがって、第２ガストンネル部１２０の内部はほとんど密封された状態を維持して内部に供給された置換ガスが外部に漏れる量を減少させることができる。また、第２ガストンネル部１２０の内部で置換ガスの消費量を減少させることができる。第２トンネル本体１２２は、直線形と曲線形を組み合わせた形状を有することができる。必要に応じて第２トンネル本体１２２には第２補助トンネル本体１２８をさらに結合することができる。
【００２７】
第２ガストンネル部１２０は、少なくとも第２トンネル本体１２２の曲線部分がガス置換区間で曲線区間に設置されてもよい。曲線置換区間に配置される第２ガストンネル部１２０は、内部に置換ガスが満たされる置換ガストンネル化環境を形成することができる。つまり、曲線置換区間で容器１０に蓋が打栓される間に置換ガスが容器１０のガス充填空間１４に置換された状態を容易に維持保存するようにガストンネル環境を作ることができる。したがって、直線置換区間である第１ガストンネル部１１０に連続して連結される第２ガストンネル部１２０を通じて容器１０内部のガス充填空間１４に残留する酸素を置換ガスに置換することができる。そして容器１０に蓋が打栓される間まで続いて容器１０周辺を置換ガストンネル化環境に維持させることができる。
【００２８】
前記のように本発明の実施形態は、ガス貯蔵部と連結部を通じて置換ガスが第１ガス置換部１００と第２ガス置換部２００にそれぞれ供給される。そして、第１ガス置換部１００と第２ガス置換部２００を通じて供給される置換ガスを噴射またはブローイング（ｂｌｏｗｉｎｇ）して容器１０内部のガス充填空間１４の酸素を押し出す。そして容器１０内部のガス充填空間１４に置換ガスを満たす方式でガス置換を実現することができる。一方、置換ガスの噴射後、容器１０の蓋をキャッピング（ｃａｐｐｉｎｇ）する。容器１０のガス充填空間１４の酸素量を１％以下に確保するための条件（ノズルの大きさ、圧力、置換時間）を設定することができる。容器１０のガス充填空間１４の酸素量を１％以下に確保するためのより詳細な実験結果は以下の実験例で説明する。
【００２９】
［実験例１］
本発明の実験例１では、第１ガス置換部１００に第１置換ガスを供給し、第２ガス置換部２００に第２置換ガスを供給した。このような実験条件で容器１０の大きさと充填容量およびノズル部２０６のノズル内径を変動させて実験を実施した。そして、その結果を表１に示した。例えば、１５ｍｌの容器にそれぞれ５ｍｌと１０ｍｌを充填し、２０ｍｌの容器にそれぞれ５ｍｌと１０ｍｌおよび１５ｍｌを充填した。そして、容器１０上部に供給されるノズル部２０６のノズル内径の大きさ別（３．５ｍｍ、１２ｍｍ）に区分した。そうして第１ガス置換部１００と第２ガス置換部２００の二重供給構造を用いる時、容器１０内酸素量（％）を測定した。
［表１］
0006475856.tif 000002
【００３０】
表１に示すように、第１ガス置換部１００と第２ガス置換部２００の二重供給構造を用いる場合、容器１０内酸素量が０．４％以下に非常に高い置換率を示した。実施例１−１〜実施例１−１０まで多様な容器１０の大きさと充填容量、そしてノズル部２０６のノズル内径により評価した時、すべて優れたガス置換率を示した。容器１０の大きさと充填容量が同一である時、ノズル部２０６のノズル内径が大きいほど若干高いガス置換率を示した。しかし、前記ノズル内径範囲ですべてほとんど確実なガス置換率を示した。
【００３１】
［実験例２］
本発明の実験例２では、第１ガス置換部１００に第１置換ガスを供給しなかった。そして、第２ガス置換部２００に第２置換ガスを供給する条件で容器１０の大きさと充填容量およびノズル部２０６のノズル内径を変動させて実験を実施した。そして、その結果を表２に示した。例えば、１５ｍｌの容器にそれぞれ５ｍｌと１０ｍｌを充填し、２０ｍｌの容器にそれぞれ５ｍｌと１０ｍｌおよび１５ｍｌを充填した。そして、容器１０上部に供給されるノズル部２０６のノズル内径の大きさ別（３．５ｍｍ、１２ｍｍ）に区分した。そうして第２ガス置換部２００だけの供給構造を用いる時、容器１０内酸素量（％）を測定した。
［表２］
0006475856.tif 000003
【００３２】
表２に示すように、第１ガス置換部１００を用いず、第２ガス置換部２００だけを用いて第２置換ガスを供給した。このような場合には、第１ガス置換部１００を用いないため、表１の実施例１−１〜実施例１−１０での酸素量より遥かに多量の酸素量が容器１０内に残留することを確認した。したがって、第１ガス置換部１００を用いず、第２ガス置換部２００だけを用いて第２置換ガスを供給する場合は、第１ガス置換部１００と第２ガス置換部２００の二重供給構造を用いる場合に比べて容器１０内に残留する酸素量がより多くなってガス置換率の改善効果が減少することを確認した。
【００３３】
［実験例３］
本発明の実験例３では、第１ガス置換部１００と第２ガス置換部２００の二重供給構造を用いず、一般ノズルに第２置換ガスを供給する条件で実験を実施した。そして、その結果を表３に示した。例えば、１５ｍｌの容器にそれぞれ５ｍｌと１０ｍｌを充填し、２０ｍｌの容器にそれぞれ５ｍｌと１０ｍｌおよび１５ｍｌを充填した。そして、容器１０上部に供給される一般ノズルの内径を４．２ｍｍに設定して一般ノズルだけの供給構造を用いる時、容器１０内酸素量（％）を測定した。
［表３］
0006475856.tif 000004
【００３４】
表３に示すように、第１ガス置換部１００と第２ガス置換部２００を用いず、一般ノズルだけを用いて第２置換ガスを供給した。このような場合、表１と表２での酸素量より多量の酸素量が容器１０内に残留することを確認した。したがって、第１ガス置換部１００と第２ガス置換部２００を用いず、一般ノズルだけを用いて第２置換ガスを供給する場合は、他の実験例に比べて容器１０内に残留する酸素量がより多くなってガス置換率の改善効果が非常に減少することを確認した。
【００３５】
前記実験例を通じて一般ノズルまたは個別置換構造だけでは酸素の置換率を改善することが難しい。そして、第１ガス置換部１００と第２ガス置換部２００を用いて容器１０上部をトンネル形式で密閉し、二重供給構造を用いて容器１０内に残留する酸素量を大幅減少させることができる。
【００３６】
一方、置換ガスの供給量を多量にしてガス充填空間１４内部を高圧に維持することができる。ガス充填空間１４内部を高圧に維持すると、容器１０の外部からガス充填空間１４内部に流入され得る外気の流れを防止することができる。また、容器１０のガス充填空間１４内に残留する酸素をガス充填空間１４内部から容器１０の外部へより容易に放出することができる。ここで、置換ガスの供給は高圧で噴射されることを限定する必要はない。置換ガスの供給圧力は置換ガスの置換流れが容易に発生し、容器１０外部の置換ガスが容器１０内部に容易に充填可能な圧力条件に設定することができる。
【００３７】
図１〜図３を参照してガス置換区間で容器１０のガス充填空間１４に充填された酸素を設定された置換ガスに置換する過程を説明する。ここで、容器１０は、開口部を通じて内容物１２が入れられた上側にガス充填空間１４を有して移送ラインでコンベヤーベルトのような移送手段により移送方向に沿って移送される。そしてガス貯蔵部から供給される置換ガスは、連結部を通じて第１ガス置換部１００と第２ガス置換部２００にそれぞれ供給される。
【００３８】
まず、容器１０がガス置換区間に位置する。そうすると、第１ガス置換部１００と第２ガス置換部２００の内部に充填された置換ガスの影響により容器１０の上部周辺は置換ガスに囲まれる。第１ガス置換部１００と第２ガス置換部２００の内部には、ガス貯蔵部から供給されるそれぞれの置換ガスが連結部を通じて供給されて置換ガスが充填された状態である。置換ガスの供給は少なくとも高圧を維持するようにする。したがって、容器１０の外部に残留する外気が容器１０のガス充填空間１４に流入されることを防止することができる。また、置換ガスの供給を高圧に維持することによって容器１０のガス充填空間１４内部に残留する酸素を容器１０の外部に排出することができる。
【００３９】
参考までに、第１ガス置換部１００は、複数のガストンネル部である第１ガストンネル部１１０と第２ガストンネル部で形成する。したがって、容器１０の置換ガス充填をより容易にすることができる。第１ガストンネル部１１０と第２ガストンネル部１２０を容器１０が移動すると、置換ガスに囲まれたガス充填空間１４とガス置換空間１１６、１２６の影響を受けるようになる。つまり、容器１０のガス充填空間１４から酸素が排出される。そして酸素が排出された空間に置換ガスが置換されて充填される。特に、第１ガストンネル部１１０と第２ガストンネル部１２０は、容器１０の開口部が含まれている上部領域に置換ガスが供給されるように形成される。したがって、容器１０が第１ガストンネル部１１０と第２ガストンネル部１２０を通過する時、ガス充填空間１４内部の酸素がかく乱されてガス置換が促進され得る。また、第１ガストンネル部１１０と第２ガストンネル部１２０の内部に置換ガスが供給される。そうすると、容器１０の外部に残留する外気が容器１０のガス充填空間１４に流入されることを容易に防止することができる。
【００４０】
第１ガストンネル部１１０と第２ガストンネル部１２０は、それぞれのトンネル形状で開口された部分を最小化する構造で容器１０を囲んでいる。第１ガストンネル部１１０と第２ガストンネル部１２０は、外部との隙間面積を減少させてほとんど密閉された空間を維持することができる。したがって、第１ガストンネル部１１０と第２ガストンネル部１２０の内部は、ほとんど密閉された状態を維持して外部から酸素を含む空気が流入されない。
【００４１】
以上を通じて本発明の望ましい実施形態について説明したが、本発明はこれに限定されるのではなく、特許請求の範囲と発明の詳細な説明および添付した図面の範囲内で多様に変形して実施することが可能であり、これもまた本発明の範囲に属することは当然である。
【図１】
0006475856.tif 000005
【図２】
0006475856.tif 000006
【図３】
0006475856.tif 000007